(57)【要約】【課題】搬送不良の発生時に装置内にタブ紙等の特定用紙が存在していた場合には、後の処理において特定用紙を給紙すべきタイミングで特定用紙と異なる代替用紙を給紙し、搬送不良が発生した場合にも適正な状態の記録物を容易に作成できるようにする。【解決手段】搬送不良の発生後に再開した画像記録処理において、タブ紙を給紙するタイミングでタブ紙を給紙することなく代替用紙を給紙する。代替用紙５００には記録物４００を構成する用紙と同一サイズで長手方向を直交して搬送される用紙が用いられ、代替用紙５００は平面視における占有範囲が他の用紙と整合しない状態で排紙トレイ１２２に排出される。【選択図】図６
2005289567.tif 000002
【特許請求の範囲】
【請求項１】
給紙部から画像記録部を経由して排紙部に至る間に形成された用紙搬送路中を搬送される用紙に対して画像を記録し、前記用紙搬送路において用紙の搬送不良を生じた際に、前記用紙搬送路に存在している用紙のうちで先頭の用紙に記録すべき画像についての画像記録処理から再開するジャムリカバリ処理を行う画像記録装置において、
前記ジャムリカバリ処理は、前記搬送不良の発生時に、用紙毎に搬送すべき順序が予め定められた特定用紙が前記用紙搬送路に存在していた場合には、前記特定用紙の搬送時に前記特定用紙に代えて特定用紙と異なる種類の代替用紙を搬送することを特徴とする画像記録装置。
【請求項２】
複数枚の前記特定用紙のみに対する連続した画像記録処理中に用紙の搬送不良を生じた際に前記ジャムリカバリ処理を実行することを特徴とする請求項１に記載の画像記録装置。
【請求項３】
前記ジャムリカバリ処理は、前記代替用紙を平面視における占有範囲が他の用紙と整合しない状態で排出部に排出することを特徴とする請求項１に記載の画像記録装置。
【請求項４】
前記ジャムリカバリ処理は、平面視における占有範囲が他の用紙と整合しない状態で排出部に排出される用紙を前記代替用紙として給紙部から給紙することを特徴とする請求項１に記載の画像記録装置。
【請求項５】
前記ジャムリカバリ処理は、前記代替用紙に代替用紙である旨を表示する画像を記録することを特徴とする請求項１に記載の画像記録装置。
【請求項６】
前記特定用紙は、一辺における互いに異なる複数の位置のそれぞれからタブを順次突出させ、所定枚数を１組として数組を積み重ねた状態で給紙部に収納されるタブ紙であることを特徴とする請求項１に記載の画像記録装置。
【発明の詳細な説明】
【技術分野】
【０００１】
本発明は、複数枚の画像記録済用紙における予め設定された所定頁に、用紙毎に搬送すべき順序が予め定められたタブ紙等の特定用紙を挿入して記録物を作成することができる画像記録装置に関する。
【背景技術】
【０００２】
複写機やプリンタ等の画像記録装置として、複数枚の用紙に対する画像記録を連続して行い、複数枚の画像記録済用紙によって構成される記録物における所定頁に色紙等の合い紙を自動的に挿入する機能を備えたものがある。また、合い紙として、定形サイズの一辺の一部からタブを突出させたタブ紙を、タブの無い普通紙が収納された給紙トレイとは異なる給紙トレイから給紙するタブ紙挿入機能を備えたものがある（例えば、特許文献１又は２参照。）。
【０００３】
タブ紙は、一辺の互いに異なる複数の位置のそれぞれからタブを順次突出させた所定枚数（例えば、５枚）を１組として複数組を積み重ねた状態で給紙トレイに収納される。このようにタブ紙を取り扱う画像記録装置では、タブ紙のタブ部分に見出し文字等の画像を形成するようにしたものもある。
【０００４】
一方、従来の画像記録装置では、画像記録処理の高速化の要請から、複数枚の用紙に対する連続画像記録時には、装置内の用紙搬送経路中に同時に複数枚の用紙が存在している。用紙搬送経路中の複数枚の用紙の何れかがジャム等の搬送不良を生じた場合には、装置は搬送不良の発生を表示して画像記録処理に係る動作を一旦停止し、用紙の搬送も停止される。搬送不良の発生を認識した作業者が、用紙搬送路中に存在する用紙の全てを取り除いた後、スタートキーの操作等によって画像記録処理の再開を指示すると、装置は、用紙搬送路中に存在していた複数枚の用紙のうちの先頭の用紙に記録すべき画像について画像記録処理から再開する。
【０００５】
例えば、図８（Ａ）に示すように、第１１〜１５頁の画像を記録すべき５枚の用紙Ｐ１〜Ｐ５が用紙搬送路中に同時に存在している場合を考える。先頭の用紙Ｐ１が定着位置、２枚目の用紙Ｐ２が転写位置と定着位置との間、３枚目の用紙Ｐ３が転写位置、４枚目の用紙Ｐ４が給紙位置と転写位置との間、５枚目の用紙Ｐ５が給紙位置にある場合、新たに給紙される用紙に対して第１１頁の画像を記録する処理から画像記録処理が再開される。このように、画像記録装置は、搬送不良により装置が停止した後に、停止時に装置内に存在していた複数枚の用紙に対して実行すべきであった画像記録処理（給紙工程、転写工程、定着工程及び排紙工程を含む。）を新たに給紙される用紙に対して行う。これをジャムリカバリ処理という。したがって、図８（Ａ）に示す例では、用紙Ｐ１，Ｐ２に既に転写された画像及び用紙Ｐ３に転写中の画像について再度画像記録処理が行われる。
【特許文献１】特開平０８−２４５０４７号公報
【特許文献２】特開２００１−３０２０２２号公報
【発明の開示】
【発明が解決しようとする課題】
【０００６】
通常、個々の普通紙は記録される画像、及び、記録物における頁数とは無関係であり、普通紙のそれぞれに任意の画像を記録することができ、任意の頁に割り当てることができる。このため、搬送不良の発生時に装置内に普通紙のみが存在していた場合には、上記のジャムリカバリ処理においては新たな用紙を順次給紙すればよい。
【０００７】
しかしながら、普通紙以外の特殊紙のなかにはタブ紙のように、個々の用紙に記録すべき画像、又は、割り当てるべき頁が予め定まっているものがある。例えば、複数頁によって構成される記録物における複数の挿入頁にタブ紙を挿入する場合、各挿入頁に挿入されるべきタブ紙におけるタブの突出位置は予め定まっている。
【０００８】
このため、搬送不良の発生時に装置内にタブ紙が存在していた場合、ジャムリカバリ処理において、給紙部に収納されているタブ紙を順に給紙すると、記録物において搬送不良の発生時に装置内に存在していたタブ紙の挿入頁に、次の挿入頁に挿入すべきタブ紙が挿入されてしまい、記録物を適正に作成することができなくなる問題がある。
【０００９】
例えば、図８（Ｂ）に示すように、搬送不良の発生時に装置内に存在している５枚の用紙Ｐ１〜Ｐ５のうち、３枚目の用紙Ｐ３が記録物における３番目の挿入頁に挿入されるべきタブ紙であった場合、何ら手当てせずにジャムリカバリ処理を行うと、図８（Ｃ）に示すように、記録物の３番目の挿入頁には４番目の挿入頁に挿入されるべきタブ紙が挿入されてしまう。このため、記録物における３番目以降の挿入頁には本来挿入されるべきタブ紙と異なるタブ紙が挿入される。
【００１０】
このような問題は、搬送不良の発生時に装置内にタブ紙が存在する場合だけでなく、個々の用紙に記録すべき画像、又は、割り当てるべき頁が予め定まっており、用紙毎に搬送すべき順序が予め定められた特定用紙が搬送不良の発生時に装置内に存在する場合に、同様に生じる。特に、タブ紙以外の特定用紙は、記録物を構成する他の用紙と同じサイズである場合にはその挿入頁をに判別できないため、後に記録物を適正な状態に修復する作業も困難になる。
【００１１】
また、複数枚の特定用紙のみに対して互いに異なる画像を連続して記録する画像記録処理中に搬送不良を生じた場合、何ら手当てすることなく通常のジャムリカバリ処理を行うと、ジャム発生時に用紙搬送路中に存在していた特定用紙のうちの先頭の特定用紙の頁から記録すべき画像と異なる画像が形成されてしまう。
【００１２】
この発明の目的は、搬送不良の発生時に装置内にタブ紙等の特定用紙が存在していた場合には、その後のジャムリカバリ処理において特定用紙を給紙すべきタイミングで特定用紙と異なる代替用紙を給紙するようにし、搬送不良が発生した場合にも適正な状態の記録物を容易に作成することができる画像記録装置を提供することにある。
【課題を解決するための手段】
【００１３】
この発明は、上記の課題を解決するための手段として、以下の構成を備えたものである。
【００１４】
（１）給紙部から画像記録部を経由して排紙部に至る間に形成された用紙搬送路中を搬送される用紙に対して画像を記録し、前記用紙搬送路において用紙の搬送不良を生じた際に、前記用紙搬送路に存在している用紙のうちで先頭の用紙に記録すべき画像についての画像記録処理から再開するジャムリカバリ処理を行う画像記録装置において、
前記ジャムリカバリ処理は、前記搬送不良の発生時に、用紙毎に搬送すべき順序が予め定められた特定用紙が前記用紙搬送路に存在していた場合には、前記特定用紙の搬送時に前記特定用紙に代えて特定用紙と異なる種類の代替用紙を搬送することを特徴とする。
【００１５】
この構成においては、用紙毎に搬送すべき順序が予め定められた特定用紙が用紙搬送路に存在している状態で、用紙搬送路中で用紙の搬送不良を生じた場合には、ジャムリカバリ処理における特定用紙の搬送時に特定用紙に代えて特定用紙と異なる種類の代替用紙が搬送される。したがって、ジャムリカバリ処理後の画像記録処理において特定用紙の搬送順序が変動せず、ジャムリカバリ処理中に搬送された代替用紙を適正な特定用紙と交換するのみで、記録物が適正な状態に修復される。
【００１６】
（２）複数枚の前記特定用紙のみに対する連続した画像記録処理中に用紙の搬送不良を生じた際に前記ジャムリカバリ処理を実行することを特徴とする。
【００１７】
この構成においては、複数枚のタブ紙のタブのそれぞれに互いに異なる見出し文字の画像を連続して記録する画像記録処理のように、複数枚の特定紙のみに対する連続した画像記録処理中に搬送不良を生じた場合には、ジャムリカバリ処理において複数枚の代替用紙が連続して搬送される。
【００１８】
（３）前記ジャムリカバリ処理は、前記代替用紙を平面視における占有範囲が他の用紙と整合しない状態で排出部に排出することを特徴とする。
【００１９】
この構成においては、特定用紙に代えて搬送される代替用紙が、例えば、搬送方向に直交する方向における排紙位置を変動するシフト機構等を介して、平面視における占有範囲が他の用紙と整合しない状態で排出部に排出される。したがって、排紙部において、代替用紙は他の用紙と視覚によって容易に識別される。
【００２０】
（４）前記ジャムリカバリ処理は、平面視における占有範囲が他の用紙と整合しない状態で排出部に排出される用紙を前記代替用紙として給紙部から給紙することを特徴とする。
【００２１】
この構成においては、例えば、収納方向や用紙サイズが異なり、平面視における占有範囲が他の用紙と整合しない状態で排出部に排出される用紙が、代替用紙として搬送される。したがって、排紙部において、代替用紙は他の用紙と視覚によって容易に識別される。
【００２２】
（５）前記ジャムリカバリ処理は、前記代替用紙に代替用紙である旨を表示する画像を記録することを特徴とする。
【００２３】
この構成においては、代替用紙である旨を表示する画像が記録された代替用紙が、特定用紙に代えて排出される。したがって、画像記録処理が完了した後に、代替用紙における表示によって記録物を適正な状態に修復するために必要な作業が正確に認識される。
【００２４】
（６）前記特定用紙は、一辺における互いに異なる複数の位置のそれぞれからタブを順次突出させ、所定枚数を１組として数組を積み重ねた状態で給紙部に収納されるタブ紙であることを特徴とする。
【００２５】
この構成においては、タブ紙を含む用紙によって構成される記録物の画像記録処理時に、用紙搬送路中にタブ紙が存在する状態で搬送不良を生じた後のジャムリカバリ処理において、タブ紙に代えて代替用紙が搬送される。したがって、搬送不良の発生時に用紙搬送路中に存在していたタブ紙が挿入されるべき挿入頁の次の挿入頁以降については、適正なタブ紙が挿入される。
【発明の効果】
【００２６】
上記の構成により、この発明によれば、以下の効果を奏することができる。
【００２７】
（１）用紙毎に搬送すべき順序が予め定められた特定用紙が用紙搬送路に存在している状態で、用紙搬送路中で用紙の搬送不良を生じた場合に、ジャムリカバリ処理における特定用紙の搬送時に特定用紙に代えて特定用紙と異なる種類の代替用紙を搬送することにより、ジャムリカバリ処理後の画像記録処理における特定用紙の搬送順序の変動を防止できる。これによって、ジャムリカバリ処理中に搬送された代替用紙を適正な特定用紙と交換するのみで、記録物を適正な状態に容易に修復することができる。
【００２８】
（２）複数枚のタブ紙のタブのそれぞれに互いに異なる見出し文字の画像を連続して記録する画像記録処理のように、複数枚の特定紙のみに対する連続した画像記録処理中に搬送不良を生じた場合に、ジャムリカバリ処理において複数枚の代替用紙を連続して搬送することにより、ジャムリカバリ処理後の画像記録処理における特定用紙の搬送順序の変動を防止できる。これによって、ジャムリカバリ処理中に搬送された代替用紙を適正な特定用紙と交換するのみで、記録物を適正な状態に容易に修復することができる。
【００２９】
（３）特定用紙に代えて搬送した代替用紙を、例えば、搬送方向に直交する方向における排紙位置を変動するシフト機構等を介して、平面視における占有範囲が他の用紙と整合しない状態で排出部に排出することにより、排紙部において、代替用紙を他の用紙と視覚によって容易に識別することができる。これによって、記録物を適正な状態に修復する作業を容易に行うことができる。
【００３０】
（４）例えば、収納方向や用紙サイズが異なり、平面視における占有範囲が他の用紙と整合しない状態で排出部に排出される用紙を、代替用紙として搬送することにより、排紙部において、代替用紙を他の用紙と視覚によって容易に識別することができる。これによって、記録物を適正な状態に修復する作業を容易に行うことができる。
【００３１】
（５）代替用紙である旨を表示する画像が記録された代替用紙を、特定用紙に代えて排出することにより、画像記録処理が完了した後に、代替用紙における表示によって記録物を適正な状態に修復するために必要な作業を正確に認識することができ、記録物を適正な状態に修復する作業を容易に行うことができる。
【００３２】
（６）タブ紙を含む用紙によって構成される記録物の画像記録処理時に、用紙搬送路中にタブ紙が存在する状態で搬送不良を生じた後のジャムリカバリ処理において、タブ紙に代えて代替用紙を搬送することにより、搬送不良の発生時に用紙搬送路中に存在していたタブ紙が挿入されるべき挿入頁の次の挿入頁以降については、適正なタブ紙を挿入することができ、容易に修復できる状態で記録物を排出することができる。
【発明を実施するための最良の形態】
【００３３】
図１は、この発明の実施形態に係る画像記録装置の構成を示す図である。画像記録装置１００は、画像読取部１１０、排紙部１２０、画像記録部１３０及び給紙部１４０からなる。画像読取部１１０は、露光ユニット１１１ａ，１１１ｂ、レンズ１１２及び固体撮像素子（ＣＣＤ）１１３を介して原稿の画像を読み取る。原稿は、自動原稿送り装置１１４を介して原稿台１１５の上面に搬送されるか、又は、自動原稿送り装置１１４を回動させて原稿台１１６の上面に手動により載置される。ＣＣＤ１１３は、原稿の画像面における反射光の受光信号を出力する。この受光信号は、ディジタルデータに変換されて画像データとして画像記録部１３０に供給される。
【００３４】
画像記録部１３０は、感光体ドラム１３１の周囲に帯電器１３２、現像ユニット１３３及び転写ユニット１３４を配置するとともに、露光ユニット１３５及び定着ユニット１３６を備え、電子写真方式の画像記録を行う。画像記録部１３０は、画像読取部１１０から供給された画像データに対して図示しない制御部において所定の画像処理を施し、この画像データに基づいて露光ユニット１３５から照射される画像光によって感光体ドラム１３１の表面を走査する。画像光の走査によって感光体ドラム１３１の表面に形成された静電潜像が、現像ユニット１３３から供給される現像剤によって現像剤像に可視像化される。現像剤像は、転写ユニット１３４によって給紙部１４０から給紙された用紙上に転写される。現像剤像が転写された用紙は定着ユニット１３６において加熱及び加圧され、現像剤が溶融して用紙上に定着する。
【００３５】
給紙部１４０は、給紙トレイ１４１〜１４４及び手差しトレイ１４５を備えている。各トレイ１４１〜１４５には、それぞれ単一種類及び単一サイズの用紙が収納される。給紙部１４０には、トレイ１４１〜１４５のそれぞれから画像記録部１３０内に向けて給紙搬送路１４６が形成されており、トレイ１４１〜１４５の何れかから１枚ずつ給紙された用紙が画像記録部１３０内に給紙される。
【００３６】
給紙トレイ１４１，１４２には、一般に、Ａ４サイズやＢ５サイズ等の比較的小型で使用頻度の高い普通紙が収納される。給紙トレイ１４３，１４４には、一般に、Ａ３サイズやＢ４サイズ等の比較的大型で使用頻度の低い普通紙が収納される。また、給紙トレイ１４３には、タブ紙を含む合い紙等の特殊紙が収納される場合がある。手差しトレイ１４５には、給紙トレイ１４１〜１４４に収納されている用紙以外のサイズの用紙やタブ紙を含む合い紙等の特殊紙が収納される。
【００３７】
タブ紙を含む合い紙が給紙トレイ１４３又は手差しトレイ１４５に収納されるのは、大容量の給紙トレイ１４１，１４２には使用頻度の高い普通紙を大量に収納すべきだからである。また、通常、給紙トレイ１４１，１４２に収納された複数枚の用紙に対する画像記録処理時に給紙される合い紙は、画像記録処理の短時間化の要請から、画像記録部１３０までの搬送距離が長い給紙トレイ１４４に収納すべきでないからである。
【００３８】
画像記録部１３０内には、主搬送路１３７、反転搬送路１３８及び排紙搬送路１３９が形成されている。主搬送路１３７は、給紙搬送路１４６から感光体ドラム１３１と転写ユニット１３４の間及び定着ユニット１３６を経由して排紙搬送路１３９に至る。排紙搬送路１３９には、用紙を排紙部１２０の排紙トレイ１２２上に排出する排紙ローラ１２１が配置されている。反転搬送路１３８は、排紙搬送路１３９と給紙部１４０の給紙搬送路１４６との間に連通している。
【００３９】
画像記録装置１００の一方の側面には、後処理装置５００が装着されている。後処理装置５００は、画像記録済用紙にパンチ孔の穿孔処理やステープル処理等の後処理を施す後処理ユニット５０１を備え、排紙トレイ５０２，５０３が装着されている。
【００４０】
画像記録装置１００は、搬送中の用紙の表裏面を反転する用紙反転機能、及び、用紙反転機能を用いて用紙の両面に画像を記録する両面画像記録機能を備えている。排紙搬送路１３９に配置された排紙ローラ１２１は、正逆両方向に回転可能にされている。排紙ローラ１２１は、用紙が主搬送路１３７を経由して排紙搬送路１３９に搬送されてきた時点で用紙を排紙トレイ１２２に排出できるように正転しており、用紙を排紙トレイ１２２に排出する際には正転を継続する。用紙反転機能によって用紙の表裏面を反転する際には、排紙ローラ１２１は排紙搬送路１３９に搬送されてきた用紙の搬送方向における後端部を挟持した状態で一旦回転を停止した後に逆方向に回転を開始し、用紙の搬送方向における前後端を反転して反転搬送路１３８内に導く。
【００４１】
用紙の片面に画像を記録する片面画像記録処理時には、給紙部１４０から給紙された用紙は、給紙搬送路１４６及び主搬送路１３７を経由する間に画像記録部１３０で片面に画像が記録された後、排紙搬送路１３９を経由して排紙トレイ１２２に画像記録面を下向きにして排出される。
【００４２】
用紙の両面に画像を記録する両面画像記録処理時には、給紙部１４０から給紙された用紙は、給紙搬送路１４６及び主搬送路１３７を経由する間に画像記録部１３０で第１面に画像が記録された後、用紙の搬送方向の後端部を挟持した状態で逆回転する排紙ローラ１２１により、搬送方向の前後端を反転して反転搬送路１３８に導かれる。反転搬送路１３８に導かれた用紙は、給紙搬送路１４６及び主搬送路１３７を経由する間に表裏面を反転した状態で感光体ドラム１３１に対向し、第２面に画像が記録された後に排紙搬送路１３９を経由して排紙トレイ１２２に排出される。
【００４３】
なお、画像記録済用紙に後処理を施す場合、給紙部１４０から給紙された用紙、又は、反転搬送路１３８を経由した用紙は、給紙搬送路１４６及び主搬送路１３７を経由する間に画像記録部１３０で画像が記録された後、用紙の搬送方向の後端部を挟持した状態で逆回転する排紙ローラ１２１により、搬送方向の前後端を反転して後処理装置１８０に導かれる。
【００４４】
なお、片面画像記録処理時には、給紙搬送路１４６、主搬送路１３７及び排紙搬送路１３９が、この発明の用紙搬送路に相当する。また、両面画像記録処理時には、給紙搬送路１４６、主搬送路１３７、反転搬送路１３８及び排紙搬送路１３９が、この発明の用紙搬送路に相当する。
【００４５】
図２は、上記画像記録装置の制御部の構成を示すブロック図である。画像記録装置１００の制御部１５０は、ＲＯＭ１５２及びＲＡＭ１５３を備えたＣＰＵ１５１に、原稿搬送系駆動回路１５４、画像読取系駆動回路１５５、画像記録系駆動回路１５６、用紙搬送系駆動回路１５７及び画像処理回路１５８とともに操作パネルコントローラ１５９を接続して構成されている。
【００４６】
原稿搬送系駆動回路１５４は、自動原稿送り装置１１４に備えられた原稿搬送用のモータやクラッチ等を駆動する。画像読取系駆動回路１５５は、画像読取部１１０に備えられた走査ユニット１１１ａ，１１１ｂの移動用のモータやクラッチ等を駆動する。画像記録系駆動回路１５６は、画像記録部１３０に備えられた画像記録用のモータ、クラッチ及び高圧電源等を駆動する。用紙搬送系駆動回路１５７は、搬送路１３７〜１３９，１４６において用紙を給紙及び搬送するローラ等の部材の回転に用いられるモータやクラッチ等を駆動する。画像処理回路１５８は、画像読取部１１０において読み取られた画像データに所定の画像処理を施す。操作パネルコントローラ１５９は、操作パネル１６０に設けられたキー１６１の操作状態を検出するともに、ディスプレイ１６２に画像記録条件の設定状態や装置の動作状態を表示する。
【００４７】
ＣＰＵ１５１は、操作パネルコントローラ１５９から入力された画像記録条件の設定内容に応じて、ＲＯＭ１５２に予め書き込まれたプログラムにしたがって各駆動部１５４〜１５７及び画像処理回路１５８を動作させる。この間に入出力されるデータは、ＲＡＭ１５３に一時格納される。ＲＡＭ１５３のメモリエリアＭＡ１は、後述するフラグＦに割り当てられている。
【００４８】
画像記録装置１００は、複数枚の画像記録済用紙における予め設定された所定頁にタブ紙を挿入するタブ紙挿入機能を備えている。画像記録装置１００は、タブ紙挿入機能を用いて記録物を作成する場合には、操作パネル１６０において、画像記録処理の開始前にタブ紙を挿入すべき所定頁の設定、及び、タブ紙を給紙すべきトレイの選択を受け付ける。タブ紙２００は、例えば、図３（Ａ）に示すように、一辺の互いに異なる５箇所のそれぞれからタブを順次突出させた５枚のタブ紙２００（２０１〜２０５）を１組として複数組を積み重ねた状態で手差しトレイ１４５に収納される。
【００４９】
給紙トレイ１４１に図３（Ｂ）に示す状態で収納された普通紙３００が矢印で示す方向に１枚ずつ給紙される画像記録処理時に、予め設定された所定頁の位置に手差しトレイ１４５から図３（Ａ）中矢印で示す方向にタブ紙２００が給紙される。これによって、図３（Ｃ）に示す状態の記録物４００が、単一又は複数部作成される。
【００５０】
上述のように、タブ紙は、一辺を所定の分割数で分割した互いに異なる複数の位置のそれぞれからタブを突出させた所定数枚を１組として構成されており、個々のタブ紙に記録すべき画像、及び、割り当てるべき頁は予め定まっている。
【００５１】
図４は、上記画像記録装置におけるタブ紙挿入機能を使用した画像記録処理時の制御部の処理手順を示すフローチャートである。画像記録装置１００の制御部１５０は、電源投入後の初期設定で、ＲＡＭ１５３のメモリエリアＭＡ１に割り当てられているフラグＦをリセットしておき（Ｓ１）、操作パネル１６０におけるスタートキーの操作による画像記録処理の開始の指示を待機している（Ｓ２）。
【００５２】
フラグＦは、給紙不良の発生時に用紙搬送路中に存在していた用紙の再給紙分（ジャムリカバリエリア）の給紙処理であるか否かの状態を記憶する。
【００５３】
ＣＰＵ１５１は、スタートキーが操作されると、画像記録処理を開始し（Ｓ２→Ｓ３）、給紙部１４０から用紙を給紙する。このとき、ＣＰＵ１５１は、給紙すべき用紙がタブ紙であるか否かの判別を行い（Ｓ４）、給紙すべき用紙がタブ紙でない場合には、給紙トレイ１４１〜１４４の何れかから普通紙を給紙する（Ｓ５）。
【００５４】
ＣＰＵ１５１は、給紙すべき用紙がタブ紙である場合には、フラグＦがセットされているか否かを判別し（Ｓ６）、給紙すべきタブ紙が際給紙分の用紙ではなく、フラグＦがリセット状態である場合には、手差しトレイ１４５等の所定のトレイからタブ紙を給紙する（Ｓ７）。
【００５５】
この後、ＣＰＵ１５１は、ジャムリカバリエリアの給紙処理であるか否かの判別（Ｓ８）、搬送不良（ジャム）を発生したか否かの判別（Ｓ９）、及び、次の画像データがあるか否かの判別（Ｓ１０）を行い、搬送不良を発生しない限り、画像データがなくなるまでＳ３〜Ｓ１０の処理を繰り返し実行し、複数枚の普通紙の所定頁にタブ紙を挿入した記録物を作成する。
【００５６】
搬送中の何れかの用紙が搬送不良を生じたことを検出すると、ＣＰＵ１５１は、直ちに用紙給紙動作、画像記録動作及び用紙搬送動作を停止する（Ｓ９→Ｓ１３）。ＣＰＵ１５１は、用紙搬送路中に停止している複数枚の用紙のなかにタブ紙が存在するか否かの判別を行い（Ｓ１４）、用紙搬送路中にタブ紙が存在する場合には、フラグＦをセットする（Ｓ１５）。
【００５７】
なお、ＣＰＵ１５１は、少なくとも用紙搬送路内を搬送中の用紙については、その種類や現在の搬送位置を順次更新して記憶しており、この記憶内容を参照することによって搬送不良の発生時に用紙搬送路中にタブ紙が存在するか否かを確認できる。
【００５８】
この後、ＣＰＵ１５１は、作業者によるジャム解除作業の完了を待機する（Ｓ１６）。ＣＰＵ１５１は、例えば、画像記録装置１００の前カバーが一旦開かれた後に閉じられたことを検出することにより、ジャム解除作業が完了したと判断すると、用紙搬送路中に停止している用紙が無いかどうかの検出（ジャムチェック）を行い（Ｓ１７）、用紙搬送路中に停止している用紙が無くなると画像記録処理を再開する（Ｓ１８→Ｓ３）。
【００５９】
ＣＰＵ１５１は、搬送不良の発生後に再開した画像記録処理において、タブ紙を給紙するタイミングでフラグＦがセットされていると、タブ紙を給紙することなく代替用紙を給紙する（Ｓ４→Ｓ６→Ｓ１１）。即ち、ＣＰＵ１５１は、搬送不良を発生したときに用紙搬送路中に存在していたタブ紙の再給紙時には、タブ紙に代えて代替用紙を給紙する。ＣＰＵ１５１は、搬送不良を発生したときに用紙搬送路中に存在していた用紙についての再給紙分の給紙が完了すると、フラグＦをリセットする（Ｓ１２）。
【００６０】
以上の処理により、図３に例示した記録物を作成する画像記録処理時に、図５に示すように画像記録装置１００の用紙搬送路中に３番目のタブ紙２０３を含む５枚の用紙Ｐ１〜Ｐ５が存在している状態で用紙の搬送不良を生じた場合には、タブ紙２００である用紙Ｐ３の再給紙時にタブ紙に代えて代替用紙を給紙する。このため、記録物において３番目の挿入頁に４番目のタブ紙２０４が挿入されることがなく、記録物における４番目以降の挿入頁には適正なタブ紙２００（２０４，２０５，・・・）が挿入される。
【００６１】
一例として図６に示すように、タブ紙２００に代えて給紙される代替用紙５００は、給紙部１４０のトレイ１４１〜１４５のうち、画像記録処理時に普通紙３００として給紙される用紙を収納した給紙トレイ、及び、タブ紙２００を収納した手差しトレイ１４５以外のトレイから給紙される。例えば、画像記録処理において作成される記録物４００が縦長のＡ４サイズの普通紙３００及びタブ紙２００によって構成される場合、図６に示すように、横長のＡ４Ｒサイズの普通紙が代替用紙５００として給紙される。
【００６２】
これによって、代替用紙５００は平面視における占有範囲が他の用紙と整合しない状態で排紙トレイ１２２に排出されるため、作業者は排紙トレイ１２２に排出された記録物４００において代替用紙５００が挿入されていること、及び、代替用紙５００の挿入位置を容易に視認でき、適正なタブ紙２００との交換による記録物４００の修復作業を容易に行うことができる。
【００６３】
なお、図７に示すように、搬送不良の発生によって適正な用紙と異なる用紙を搬送した旨のメッセージの画像を代替用紙５００に記録して排出することもできる。これによって、作業者は記録物４００の修復作業の必要性を正確に認識することができる。図７に示す例では、上述のメッセージの他に機種名や代替用紙５００の使用日時を示す画像が記録されている。
【００６４】
上記の例では、代替用紙５００として、記録物４００を構成する用紙と同一サイズで長手方向を直交して搬送される用紙を用いたが、記録物４００を構成する用紙よりも大きなサイズの用紙を用いることもできる。また、記録物４００を構成する用紙と同一サイズで同一方向に搬送される代替用紙５００を、記録物４００を構成する用紙の排紙位置に対して搬送方向に直交する方向に変位させた位置に排出するようにしてもよい。
【００６５】
また、画像記録装置１００においては、複数枚のタブ紙２００のみを連続して給紙し、各タブ紙２００に見出し文字等の互いに異なる画像を記録する画像記録処理が行われる場合がある。このような複数枚の特定用紙のみに対する画像記録処理時にも、この発明を同様に実施することができる。
【００６６】
さらに、タブ紙以外の特定用紙を含む記録物の画像記録処理を行う画像記録装置についても、この発明を同様に実施することができる。
【図面の簡単な説明】
【００６７】
【図１】この発明の実施形態に係る画像記録装置の構成を示す図である。
【図２】上記画像記録装置の制御部の構成を示すブロック図である。
【図３】上記画像記録装置におけるタブ紙を挿入した記録物の作成状態を説明する図である。
【図４】上記画像記録装置のタブ紙挿入機能を使用する画像記録処理時における制御部の処理手順を示すフローチャートである。
【図５】上記画像記録装置のタブ紙挿入機能を使用する画像記録処理時における搬送不良の発生時の状態の一例を示す図である。
【図６】上記画像記録装置における記録物に対する代替用紙の挿入状態の一例を示す図である。
【図７】上記画像記録装置に使用される代替用紙における画像の記録状態を示す図である。
【図８】上記画像記録装置のディスプレイにおける表示状態の遷移の一例を示す図である。
【符号の説明】
【００６８】
１００  画像記録装置
１３０  画像記録部
１３７  主搬送路（用紙搬送路）
１３８  反転搬送路（用紙搬送路）
１３９  排紙搬送路（用紙搬送路）
１４０  給紙部
１４１〜１４４  給紙トレイ
１４５  手差しトレイ
１４６  給紙搬送路
２００（２０１〜２０５）  タブ紙
３００  普通紙
４００  記録物
５００  代替用紙
【図１】
2005289567.tif 000003
【図２】
2005289567.tif 000004
【図３】
2005289567.tif 000005
【図４】
2005289567.tif 000006
【図５】
2005289567.tif 000007
【図６】
2005289567.tif 000008
【図７】
2005289567.tif 000009
【図８】
2005289567.tif 000010